(57)【要約】【課題】光により望ましくない人または動物を追い払うこと。【解決手段】本発明は、適当なスイッチング周波数、例えば５〜７０Ｈｚの間で変化する光を提供することにより、望ましくない人または動物（２０）を追い払い、および／またはこれに影響を与えるようになっている、セキュリティ照明システムおよび方法を提供するものである。このシステムの光源（１４ａ、１４ｂ）の照明は、人に対しては約１５〜２０Ｈｚの間の好ましいスイッチング周波数で、強度、色、パターンなどに関して制御ユニット（１２）により変えることができる。望ましくないものが存在していることが検出されたときに、このシステムを起動する近接検出器（１６ａ、１６ｂ）を設けることができる。かかる変化する照明は、動物（２０）を追い払ったり、人を追い払い、または混乱させるのに有効であると分かっている身体的および精神的な不快感を与える。【選択図】図１
2008542903.tif 000002
【特許請求の範囲】
【請求項１】
刺激を誘導できる光を放出できる少なくとも１つの光源（１４ａ、１４ｂ；１１６）と、前記光源（１４ａ、１４ｂ；１１６）を電源（１０；１１２）に接続するための電気接続部と、５〜７５Ｈｚの間のスイッチング周波数で、前記光源（１４ａ、１４ｂ；１１６）が発生する光の少なくとも１つの性質を変えることができる制御ユニット（１２；１１４）とを備えた、人（１３０）および／または人以外の動物（２０）に影響し、および／またはこれを追い払うようになっていることを特徴とするセキュリティ照明システム（１００）。
【請求項２】
前記性質は、光の強度である請求項１記載のシステム。
【請求項３】
前記スイッチング周波数は、５〜３５Ｈｚの間、好ましくは１５〜２０Ｈｚの間である、人（１３０）に影響を与え、および／またはこれを追い払うようになっている請求項１又は請求項２に記載のシステム。
【請求項４】
前記スイッチング周波数は、調節自在であり、好ましくは時間に対してランダムに変化できる請求項１乃至３の何れか１項に記載のシステム。
【請求項５】
発光される光の、高強度に対する低強度の比は、少なくとも１：５となっている請求項１乃至４の何れか１項に記載のシステム。
【請求項６】
前記光源（１４ａ、１４ｂ；１１６）の光のカラースペクトルは、調節自在である請求項１乃至５の何れか１項に記載のシステム。
【請求項７】
前記光源（１４ａ、１４ｂ；１１６）が発光する光の少なくとも約５％は、赤色である請求項１乃至６の何れか１項に記載のシステム。
【請求項８】
前記近接検出器（１６ａ、１６ｂ）が、望ましくないものの存在を検出したときに、前記スイッチング周波数で前記制御ユニットが光源（１４ａ、１４ｂ：１１６）の光の性質を変えるよう、前記制御ユニット（１２；１１４）に結合された近接検出器（１６ａ、１６ｂ）を更に含む請求項１乃至７の何れか１項に記載のシステム。
【請求項９】
前記制御ユニット（１２；１１４）は、ゼロでない強度のレベルで発光するための、実質的に連続した電力を前記光源（１４ａ、１４ｂ；１１６）に供給できる請求項８記載のシステム。
【請求項１０】
前記制御ユニット（１２；１１４）は、所望するスイッチング周波数で、発光された光を減衰できる減衰器を含む請求項１乃至９の何れか１項に記載のシステム。
【請求項１１】
前記光源（１４ａ、１４ｂ、１１６）は、ガス放電ランプを含む請求項１乃至１０の何れか１項に記載のシステム。
【請求項１２】
前記ガス放電ランプは、オプションとして少なくとも１つのハロゲン化金属が添加された高圧水銀蒸気ランプを含む請求項１１記載のシステム。
【請求項１３】
前記光源（１４ａ、１４ｂ；１１６）は、オプションとして少なくとも１つのハロゲン化金属が添加された高圧水銀蒸気ランプを含む請求項１１記載のシステム。
【請求項１４】
前記光源は、ＬＥＤを含む請求項１１記載のシステム。
【請求項１５】
複数の光源（１４ａ、１４ｂ；１１６）を含む請求項１乃至１４の何れか１項に記載のシステム。
【請求項１６】
前記複数の光源（１４ａ、１４ｂ；１１６）のうちの少なくとも１つは、他の光源から独立して制御される請求項１５記載のシステム。
【請求項１７】
前記光源（１４ａ、１４ｂ；１１６）のための電源（１０；１１２）を含む請求項１乃至１６の何れか１項に記載のシステム。
【請求項１８】
電源（１０；１１２）のための電気接続部と、
少なくとも１つの光源（１４ａ、１４ｂ；１１６）のための給電接続部と、
５〜７０Ｈｚの間のスイッチング周波数で、前記光源（１４ａ、１４ｂ；１１６）から発生される光の性質を変えることができる回路装置とを備えた請求項１乃至１７の何れか１項に記載のセキュリティ照明システム（１００）内で使用するための制御ユニット（１２；１１４）。
【請求項１９】
望ましくないものが存在することを検出したときに、前記制御ユニット（１２；１１４）の変化する動作を開始させることができる近接検出器（１６ａ、１６ｂ）を更に含む請求項１８記載の制御ユニット。
【請求項２０】
請求項１乃至１７の何れか１項に記載のシステム（１００）の使用法。
【請求項２１】
刺激を誘導する光を発生できる光源（１４ａ、１４ｂ；１１６）を設けるステップと、５〜７０Ｈｚの間、好ましくは５〜３５Ｈｚの間、最も好ましくは１５〜２０Ｈｚの間のスイッチング周波数で前記光源（１４ａ、１４ｂ；１１６）が発生する光の性質を変えるステップとを備えた、人（１３０）および／または人以外の動物（２０）に影響を与え、および／またはこれを追い払う方法。
【請求項２２】
前記性質は、発生される光の強度を含む請求項２１記載の方法。
【請求項２３】
前記スイッチング周波数を変化させる、好ましくは時間に対してランダムに変化させる、請求項２０または２１記載の方法。
【請求項２４】
前記光のカラースペクトルを変化させる、請求項２０乃至２２の何れか１項に記載の方法。
【請求項２５】
請求項１乃至１７の何れか１項に記載のシステム（１００）を使用する請求項２０乃至２３の何れか１項に記載の方法。
【発明の詳細な説明】
【技術分野】
【０００１】
本発明は、一般的には、光により人および／または人以外の動物に影響を与え、および／またはこれを追い払うことに関する。
【背景技術】
【０００２】
セキュリティおよびその他の理由から、所定のビル、プラントまたは他の物体に人が接近しないように、人に警告することが望ましいことが多い。例として、工業エリア、例えば化学プラント、油井および精製所、発電所および配電所、並びに放送システム、更に運輸設備、例えば滑走路、地下鉄、鉄道、トンネル、港湾および都市設備、例えば下水処理施設、取水所などを挙げることができる。警告をする理由として、犯罪活動、例えば窃盗、破壊、薬の密売、暴動、浮浪行為および障害、または一般的な危険などを生じさせる犯罪的活動を防止することを挙げることができる。同じ理由として、動物を追い払うこと、例えば危険な、または致命的な動物と人との接触を防止するだけでなく、作物の破壊または村への進入などを防止することを挙げることができる。
【０００３】
１つの特徴として、本発明は、人および／または人以外の動物に影響し、および／またはこれを追い払うようになっているセキュリティ照明システムであり、このセキュリティ照明システムは、刺激を誘導できる光を放出できる少なくとも１つの光源と、この光源を電源に接続するための電気接続部と、制御ユニットとを備えている。ここで、「刺激を誘導する光」なる表現は、人および／または人以外の動物において、生理学的刺激を誘導し、その挙動に影響を与えることができる赤外線、可視光および紫外線を意味する。
【０００４】
不法侵入を検出したことを警告するような（低速の）フラッシュを発生し、不法侵入者を追い払う、不法侵入警告ランプが一般に知られている。更に、米国特許第5,969,593号公報から、動物を追い払うために散弾銃の音と組み合わせて、紫外線または赤外線のフラッシュを何回も発する車載動物警告システムが知られている。
【発明の開示】
【発明が解決しようとする課題】
【０００５】
しかしながら、かかるフラッシュの有効性に関する情報を開示した公知の文献は全くない。
【０００６】
本発明の目的は、影響し、および／またはこれを追い払うような改良された効果を有する上記タイプのセキュリティ照明システムを提供することにある。
【課題を解決するための手段】
【０００７】
この目的は、制御ユニットが５〜７５Ｈｚの間のスイッチング周波数で、前記光源の発生する光の少なくとも１つの性質を変えることができる請求項１きさいのセキュリティ照明システムによって達成される。
【０００８】
本発明者たちは、かかる周波数で照明が変化することは、人および／または動物を妨害することに特に有効であることを発見した。特に、かかる変化は被験者に負の精神的および身体的効果、例えば不快感、混乱または悪い気分を直接誘導することが発見された。一般に、このような照明は極めて不快であることが分かっており、このように照明された場所を離れる原因となり、少なくとも強く頭を混乱させる原因であることが分かった。このような感覚は、例えばゆっくり点滅する侵入者アラームを用いた場合に侵入者が検出されてしまったという感覚よりも、ずっと強く感じられるものである。本発明に関連して使用するこれらすべての不快感なる一般的な表現を、影響を与える、またはこれを追い払うという表現とする。
【０００９】
このような機構はこれまで知られていなかったものであるが、点滅する光またはパターンは、癲癇の兆候が生じ得るという光感応癲癇症として知られる現象と関連し得る。だれもが光感応癲癇症に関係する、自らの感覚スレッショルドを有するので、本発明の照明によって一定の影響を受けると信じられている。従って、所定の設定の照明で１００％の効果が常に得られるものではないが、本発明に係わるシステムおよび照明により、照明の効果が改善される。更に、光感応癲癇症の起こり得る負の効果を検討すれば、社会にインパクトを与えるような（例えばテロリストの）活動に関連した、その誘導効果が効果的なツールとなり得る。
【００１０】
更に、上記説明は主に、人に対する効果であることに注目されたい。人以外の動物を追い払うには、動物の応答は異なる可能性があるので、影響を与えたり、または追い払うべき動物のタイプに従ってスイッチング周波数を設定することが望ましい。例えば鳥は人がわずかしか検出できないような、約７５Ｈｚまでの高い周波数に、より敏感であると考えられる。好ましい実施例では、人に対する不快感はゆるやかであるが、追い払いたい、人以外の動物、例えば鳥、捕食動物または（他の）大型動物、例えば象に対しては効果的となるようにスイッチング周波数を選択する。特に、少なくとも５０Ｈｚおよび約７５Ｈｚまでの周波数は、ほとんどの人には微弱な応答しか引き起こさないが、鳥などにはかなり強力な影響を与えると考えられる。
【００１１】
特別な実施例では、光の性質は強度を含む。この性質は、ほとんどの人および動物に極めて直接的な影響を与え、極めて効果的であることが証明されている。この性質として、ぎらつき、コントラスト、パターンなどを挙げることができる。
【００１２】
人に影響を与え、および／または人を追い払うようになっているセキュリティ照明システムの特別な実施例では、スイッチング周波数は５〜３５Ｈｚの間、好ましくは１５〜２５Ｈｚまでである。人では、約５〜３５Ｈｚの間の周波数がかなり効果的であり、最適な周波数は約１５〜２０Ｈｚの間であることが分かっている。これより低い周波数またはこれより高い周波数は、所定の数の人に結果を与え得るが、表示したレンジのスイッチング周波数は、所望する効果の発生率をそれぞれより高くするか、最適にする。
【００１３】
好ましい実施例では、スイッチング周波数は調節自在である。調節自在なスイッチング周波数により、追い払うべき、または影響を与えるべき所定のタイプの人または動物に対してシステムを設定することが可能である。更に、例えば特定の動物に対し、実際に実行して決定したような、最適な実験結果により、スイッチング周波数を選択することが可能である。このスイッチング周波数の調節は、オペレータによって手動で行うこともできるし、例えばスイッチング周波数をスイープするように、制御ユニットによって自動的に行うこともできる。この場合、制御ユニットは適当なスイープ回路を含むことができる。このようなスイッチング周波数をスイープすることにより、人または動物が照明に適合することがより困難となる。更に、追い払う効果を改善するために、スイッチング周波数を時間に対してランダムに変えることができるようにすることが好ましい。この場合、制御ユニットはノイズ発生器のような乱数発生器を含むことができる。スイッチング周波数は５〜約７５Ｈｚの間のレンジ内に常になくてもよい。かなりの時間にわたり、例えばシステムが照明をアクティブに変える時間のうちの少なくとも５０％の間、このレンジにあるだけでよい。当然ながら、この周波数は常に５〜７５Ｈｚのレンジ内にあってもよい。
【００１４】
本発明に係わるシステムは、所定の実施例ではフラッシュを提供するものと見なすことができる。これらフラッシュは、光を発光する期間と完全に暗い期間が交互に存在するという厳密な意味でのフラッシュとすることができる。しかしながら、このことは必要ではなく、表示されたスイッチング周波数で、発光される光の強度のレベルがかなり変化すれば十分である。特定の実施例では、制御ユニットは少なくとも１：５の強度の比を有する少なくとも２つのレベルの間で、発光される光の強度を変えるようになっている。このような強度レベルの変化は、対応するレベルの間で電力を変えることによって発生させることができる。特に、電力比は少なくとも１：１０であり、例えば比較的低い強度の時間と比較的高い強度の時間の比である。しかしながら、１：１.２の比およびこれより高い比は、機能的であると考えられ、これよりも大きい比は、より効果的であると見なされる。適当であるのは、有効に放出される（光学的）パワーであることに留意されたい。その理由は、この光学的パワーは強度と直接関係しているからである。例えば通常の交流で駆動される白熱ランプは、２倍の幹線周波数では０の電力から最大の電力（従って有限比）の間でスムーズに給電電力が変化する。しかしながら、フィラメントがかなり長く冷却される時間があるので、放出される強度の比は実際にはかなり大きくなるので、適応化をしない場合、本発明の目的には自ずからほとんど使用できないと見なされる。これとは異なり、供給される電力から独立して、減衰器などによって放出される（光学的）パワーに影響を与えることができる。このように、高い発光パワーと低い発光パワーとの間の比を実質的に無限にすることさえも可能である。
【００１５】
同様な理由から、対応する利点を得ながら、発光強度を高強度と低強度の間で変えることは、実質的にスムーズではなく、すなわちサイン状でなく、ステップ状にすることが好ましいが、特に効果が十分であれば、例えば少なくとも１：１.２の比である場合、スムーズな変化でも不快な効果を与え得る。
【００１６】
特別な実施例では、光の性質として、光源の光のカラースペクトルを挙げることができる。換言すれば、特に高強度の状況でのカラースペクトルが低強度の状況と異なるようにカラースペクトルを調節できる。このようにカラースペクトルを変えることによって生じる変化するカラーの印象は、不快感を高める。かかる変化は、例えばカラーフィルタによって生じさせることができる。従って、制御ユニットまたは一般的なシステムは、望ましい効果を与えるよう、光源に対して配置された１つ以上のカラーフィルタを含むことができる。これとは異なり、１つ以上の光源の性質を活用してもよい。例えば高圧ナトリウムランプに給電される電力を変えると、ナトリウム蒸気が消費する電力と水銀蒸気が消費する電力の比が変わり得る。この場合、カラースペクトルも変化する。特にナトリウム放電における電力に対する水銀放電の電力に比が増加するときに、「青色フラッシュ」が生じ得る。この青色フラッシュは、青色光の割合が比較的高く、赤色の光の割合が低く、青色フラッシュを明瞭に見ることができる。
【００１７】
発光される光のカラースペクトルは特別に限定されているわけではない。実際にカラースペクトルは、人には見ることができないが、あるタイプの動物には見ることができる紫外線波長および／または赤外線波長の光を含むことができる。好ましいことに、発光される光を、このような動物が見ることのできる波長だけに限定することにより、人の活動を妨害しないで、動物を追い払うことができる可能性が得られる。
【００１８】
発光される光のカラーは特別に限定されてはいないが、特別な実施例では、光源から放出される光の少なくとも約５％は赤色を有する。すなわち赤領域の波長を有する。特に赤色を急激に変化させると、人に対して強力な効果を与えることができ、赤色のパーセントをより多くすればより効果的となることが分かっている。特に実質的にすべての可視光、すなわち可視光の少なくとも５０％が赤色領域の波長を有するとき、極めて強力な効果が得られる。
【００１９】
上記とは異なり、かなりの量の発光される可視光、すなわち少なくとも５％、好ましくは少なくとも２５％、最も好ましくは少なくとも５０％の光は、約４５０〜６００ｎｍ、より好ましくは約４５０〜５５０ｎｍの間の波長を有する。これら波長では、光に対する網膜の感度が最大である。特に低い光レベルで最もアクティブな網膜錘体は、約４５０〜５５０ｎｍ、すなわち青色−緑色の間で感度が最大である。青色−緑色の（主要な）カラーであって、かつ網膜錘体を活性化するのに十分な強度でフラッシュを発生することにより、視覚的な認識およびそれに対応する刺激が急激に変化する。このことは人の不快感を高めると信じられる。眼の感度が最大となる波長を、比較的高いパーセントで有する光を発生する別の利点は、光源に対するパワーは最少量でよいので、最もエネルギー効率が高くなることである。
【００２０】
特別の実施例は更に、制御ユニットに結合された近接検出器を備え、よって近接検出器が望ましくないものが存在することを検出したとき、制御ユニットはスイッチング周波数で光の性質を変えることを開始する。換言すれば、近接検出器によって発光を変えるという必要性が検出されたときだけに、光源は発光を変えればよい。光の性質を変えることとして、例えば上記のように光の強度および／またはカラースペクトルを変えることを挙げることができる。このような変化は制御ユニットによって生じさせることができる。例えば光源に給電される電力を変えることによって行うことができる。ガス放電ランプの場合、上記とは異なり、またはそれに追加して、本願出願人を出願人とする国際公開特許第WO03/098659号に記載されているように、制御ユニットによりランプ電流のデューティサイクルを変えることによっても、カラーシフトを生じさせることができる。更に、他の手段、例えば制御ユニットによって制御される移動自在なカラーフィルタまたは他の減衰器により、光の性質を変えることができる。
【００２１】
検出器が望ましくないものの存在の検出がされなくなった後も、所定時間にわたって発光の変化が続くよう、制御ユニットおよび／または近接検出器を設定してもよいことに留意すべきである。
【００２２】
本発明の目的のために、近接検出器は動き検出器、熱（赤外線）検出器および望ましくないものの存在を検出できる他の検出器を含むものと見なされる。オプションとして、近接検出器または制御ユニットに、画像認識ソフトウェアを設け、誤ったアラームを防止するようにできる。オプションとして、影響を与えるべき、および／または追い払うべき人または人以外の動物のタイプに対して、例えばサイズおよび全体の形状に基づいて近接検出器または制御ユニットを調節できるようにしてもよい。
【００２３】
近接検出器を設けなくてよいことに留意されたい。例えば物体、部屋またはスペースなどを保護する場合、本システムを連続モードで作動させるだけで十分である。これとは異なり、特定のアクションのためのシステムでは、下記に説明すべき暴徒または群衆を制圧またはこれを追い払うために、本発明に係わるシステムにおけるように、オペレータによってシステムを作動できれば十分である。
【００２４】
しかしながら、近接検出器を設ければ、有利な可能性が多数得られると考えられる。まず第１に、望ましくないものの存在が検出された場合だけにシステムを作動させると、検出されたものに関する驚き効果および不快な効果が高まるだけでなく、エネルギー効率も極めて高くなる。更に、特にこのような事態が急に始まった場合のフリッカリング（点滅）またはその他の変化する照明は、効果的に注意を引き寄せ、このこと自体には特定の人間に対して追い払う効果がある。
【００２５】
これとは異なり、本発明に係わるシステムの特別な実施例では、制御ユニットはゼロでない強度レベルで点灯させるための実質的に連続的な電力を光源に供給できる。このことは、特に近接検出器が望ましくないないものの存在を検出しないケースに関係する。しかしながら、所望すれば、例えば捜査目的のために、近接検出器の信号を制御ユニットが無効にすることさえもできる。従って、本システムは、ゼロでない強度レベル、好ましくは公称強度レベルで点灯するための実質的に連続的な電力を光源に制御ユニットが供給するモードに、システムを切り換えるスイッチ手段を含むことができる。例えば本システムは、リモコン、電子的に起動できるスイッチなどを含む。かかるリモコンまたはスイッチは、例えば追い払うべきでない法執行官、オペレータ、メカニクスおよびその他の人によって使用すべきバッジなどとして具現化できる。
【００２６】
かかる実質的に連続的な照明を行うことによって、物体、スペースなどの通常の照明ができるという利点が得られる。これにより、例えば視覚的な捜査が可能となり、更に安全性が高まるだけでなく、望ましい装飾的な照明も可能となる。このように保護すべき可能性のある対象として、例えば通常指定されたゲート外への人のアクセスが許可されていないような刑務所、発電所、軍事または研究設備、博物館などを挙げることができる。更に、同じ照明システムにより通常の、例えば連続的な照明を行うことができるようにすることにより、侵入が検出され、侵入者に警告がなされたり、侵入者が追い払われたり、または他の態様で影響が与えられた後に、捜査当事者に影響を与えることなく、最適な照明でこの領域を捜索できるという別の利点が得られる。
【００２７】
別の方法または追加の方法として、制御ユニットは所望するスイッチング周波数で発光される光を減衰できる減衰器を含むことができる。このように、上記のような白熱ランプさえも含む任意のタイプの照明を使用することが可能であり、人および動物に影響するような望ましい結果を得ることもできる。かかる減衰器は、機械式、電気光学的などのシャッターまたは同等物を含むことができる。光源に供給される電力を変えることと組み合わせれば、別のランダムな効果が得られ、有効性を高めることができる。
【００２８】
本発明に係わるシステムの特別な実施例では、光源はガス放電ランプを含む。ガス放電ランプは、強力な照明を提供でき、この照明の強度が高強度と低強度の間で変化するように照明強度をかなり迅速にスイッチングできる。
【００２９】
特別な実施例では、ガス放電ランプは高圧水銀蒸気ランプを含み、このランプはオプションとしてハロゲン化金属を少なくとも１つ含む。高圧水銀蒸気ランプはロバストな設計で高強度の光を発生できる。所望する波長レンジ内の光の強度を高めるために、オプションとしてハロゲン化金属を添加できる。例えば実質的には純粋な水銀放電では存在しない、赤色波長領域における強度を高めるのに、ハロゲン化リチウムを添加できる。
【００３０】
「高圧」なる用語は、低圧でない水銀蒸気放電ランプのすべてランプ、例えば中程度の圧力、高圧または超高圧水銀蒸気放電ランプを含むと見なす。低圧水銀蒸気放電ランプ（チューブライト）は、比較的光強度レベルが低く、多くの蛍光材料などが低速であるので、本発明の目的にはあまり適していないように見える。しかしながら、所定のケース、例えばビル内の照明では、得られる強度は侵入者に影響を与える目的には十分であり得る。更に、役割を果たすのは強度だけでないことが分かっている。照明が変化する、より広い面積は、より狭い面積よりもより大きい効果を与えるという点で、照明の表面積も重要であるように見える。低圧ランプは広い面積、例えば広いスクリーンを有効に照明できるので、これらランプは広い表面積を有する実施例に対して適している。これら低圧ランプでも、かかる広い面積、例えばスクリーンをパターン状に照明するのにより適している。
【００３１】
特別の特別な実施例では、光源はオプションとして少なくとも１つのハロゲン化金属が添加された高圧ナトリウムランプを含む。ナトリウムランプは、水銀蒸気ランプよりも効率が高く、主に眼が最も敏感な波長領域で発光し、更に赤色領域でも発光し、ロバストな構造でもある。更にナトリウムランプは、水銀が（ほとんど）存在しないので、環境上の危険がより少ない。ナトリウムランプはエネルギー効率が良いだけでなく、快適な（暖かい）ゴールデンライトを発生するので、大型の対象の一般的な照明に、多くが使用されている。この快適さは、本発明に従い、照明の特性を変化させるときとはかなり異なることに注目されたい。更に、かかるナトリウムランプを高強度と低強度の間で変化するようにスイッチングすると、発光される光のカラーもシフトし、不快感を高める。このようなカラーシフトは、別の状況ではプラズマの性質が異なることに起因するだけでなく、ナトリウムとは異なるスペクトルで発光する水銀または他のサポートガスの寄与分が増加することに起因して強化されると見なされる。
【００３２】
これとは異なり、またはそれに追加して、光源はＬＥＤを含む。これらＬＥＤは、その寿命に実質的な影響を受けることなく、任意の所望する適当なスイッチング周波数で、極めて容易にスイッチングできるという利点を有する。更にＬＥＤは多くの異なるカラー、例えば望ましい赤色で発光したり、または供給電圧もしくは電流に応じて異なるカラーを発光することもできる。更にこれらは極めて小さく、コンパクトである。従って、これらＬＥＤは多くの異なるデバイスまたは装置に組み込むことができる。また、比較的低い、全発光光学パワーでも、比較的長い距離、例えば数メートルで有効な、集光された高強度のビームに光を合焦するのに、簡単な光学系を使用することも可能である。
【００３３】
別の実施例はレーザー光源を含む。レーザーは多くのカラーで、多くの異なる、容易に変更された周波数で、極めて高強度の光を発生できる。必要であれば、本システムは、放出されるレーザービームの強度を、侵入者の網膜または他の身体部分には危険でない強度まで下げるための光学系を含む。かかる光学系は、長距離でシステムの照明を使用することを可能にする、ビーム拡張器を含むことができる。この拡張器とは異なるレンズ、拡散器なども使用できる。
【００３４】
特別な実施例は複数の光源を含む。複数の光源を設けることによって多数の利点が得られる。例えばより高い強度またはより広い照明、かつ安全な領域を提供することが容易となる。また、照明を変える、より多くの可能性を提供できる。例えば一斉に照明を変化させ、例えば強度の差を最大にできる。これとは異なり、照明の変化の異なるパターンを発生できる。例えば照明を続行したり、各光源の照明の位置およびスイッチング周波数び双方に関して、ランダムに変更したりするような異なるパターンの照明が可能である。かかる照明の変更のすべては本システムの有効性を高めることができる。
【００３５】
本発明に係わるシステムは、異なる光源の制御を容易にする、複数の特定タイプの光源を含むことができる。これとは異なり、異なるタイプの光源、例えばナトリウムランプとＬＥＤを設けることも可能である。特に、例えば２つ以上のＬＥＤを含むＬＥＤアセンブリを設けることも可能である。かかるＬＥＤアセンブリは、１つ以上のＬＥＤのタイプを含むことができ、１つのタイプのＬＥＤを設けることは、単に全体の光の出力を高めるだけであるが、１つのアセンブリに異なるタイプのＬＥＤを設けた場合、異なるＬＥＤを附勢して、発光される光のカラーを変えることにより、光を変更できる可能性の数を多くすることができる。
【００３６】
上記概略を延べた可能性の少なくとも一部を達成するために、複数の光源のうちの少なくとも１つのを、他の光源とは別個に制御し、例えば一度に異なる光源を点灯し、変化するパターンを提供するようになっている、本発明にかかわるシステムを提供することも想到できる。これとは異なり、当然ながら、すべての光源を、例えば一度に相互に関連するように制御することも可能である。これによって、極めて簡単な制御ユニットが得られる。
【００３７】
特別な実施例では、本システムは、光源のための電源を含む。本明細書では、次の説明のすべてと同じように、より多数の光源を設けるオプションが含まれると見なす。光源のための電源を設けることにより、システムをスタンドアローンシステムとすることができる。このようなスタンドアローンシステムは、遠隔地での使用またはモバイル使用に有効となり得る。電源としては、バッテリー、発電機などが便利である。
【００３８】
本発明は、電源のための電気接続部と、少なくとも１つの光源のための給電接続部と、５〜７０Ｈｚの間のスイッチング周波数で、前記光源から発生される光の性質を変えることができる回路装置とを備えた、本発明に係わるセキュリティ照明システム内で使用するための制御ユニットにも関する。かかる制御ユニットは、現在存在する照明機器に、追い払い効果および／または影響を与える効果を提供する可能性を特に提供できる。
【００３９】
上記制御ユニットは、例えば少なくとも１：１.２の適当な比、少なくとも１：５の、より適当な比、好ましくは少なくとも１：５の比で、光源に給電される電力を変えるための回路を含むことができる。かかるガス放電ランプのケースでは、最低電力レベルでランプが消灯しないような適当な比とすることが望ましい。このことは、ランプの特定のタイプによって決まる、当業者に知られている種々の要因によって影響され得る。
【００４０】
また、変化するパターンで、および／または変化する周波数もしくは変化する強度レベルで、異なる光源を附勢するための回路を設けることが可能である。端的に述べれば、上記実施例の多くを制御ユニット内に具現化することもできる。簡潔にするために本明細書ではこれら実施例の説明を、すべて繰り返すことはないが、本発明の一部を構成すると理解されよう。
【００４１】
しかしながら、特に制御ユニットは更に、望ましくないものが存在すること検出したとき、制御ユニットの変化させるという動作をスタートできる近接検出器を更に含む。本明細書では、変化させる動作とは、光源の動作を変更させることを意味するものである。これまで既に述べたように、近接検出器を設けることにより、システム全体の可能性を大幅に高めることができ、従って、現在の照明システムのこれら可能性も提供できる。
【００４２】
本発明は、これまで説明した本発明に係わるシステムの用途にも関する。ここで強調したいことは、一般的な見解として公知の照明業界での最も重要な研究目的の１つは、消費者にとって不快な、光源のフリッカリング（ちらつき）およびその他の変化を最少にすることにあるということである。従って、フリッカリングまたは他の変化を正しく強調すればこれらをうまく利用できるということは、根本的に新しい考え方である。
【００４３】
本発明は、刺激を誘導する光を発生できる光源を設けるステップと、５〜７０Ｈｚの間、好ましくは５〜３５Ｈｚの間、最も好ましくは１５〜２０Ｈｚの間のスイッチング周波数で前記光源が発生する光の性質を変えるステップとを備えた、人および／または人以外の動物に影響を与え、および／またはこれを追い払う方法にも関する。この方法は、休止状態の光源は光を全く発光しないが、望むときには起動されるという状況を含むものと見なされることに留意されたい。
【００４４】
本発明に係わるシステムに関連して説明する実質的にすべての実施例は、本発明に係わる方法においても同じように具現化できるので、すべてを再度説明することはしないが、本発明の一部であると見なされる。
【００４５】
しかしながら、特に本所有権は、好ましくは少なくとも１：１.２の強度比、より好ましくは少なくとも１：５の強度比を有する、発光される光の強度を含む。
【００４６】
スイッチング周波数を変化させることが好ましく、時間と共にランダムに変化させることが好ましい。
【００４７】
上記とは異なり、またはそれに追加し、光のカラースペクトルを変える。
【００４８】
本発明に係わるシステムを使用することが好ましい。
【００４９】
添付図面を参照し、所定の実施例の説明を読めば、これまで開示した発明についてより良好に理解できよう。
【発明を実施するための最良の形態】
【００５０】
図１において、セキュリティ照明システムは、電源１０と、制御ユニット１２と、複数の光源１４ａ、１４ｂと、複数の近接検出器１６ａ、１６ｂを含む。近接検出器はそれぞれの視界１８ａ、１８ｂを有し、侵入する動物は、参照番号２０で略図で示されている。
【００５１】
電源１０は、幹線電源への電力接続部または他の外部電源でもよい。換言すれば、実際の電源は、オプションとすることができる。図示されている実施例では、電源はバッテリーとなっており、この電源１０は、制御ユニット１２、例えばコンピュータまたは他の適当な回路に接続されている。
【００５２】
制御ユニット１２を介して電源１０に複数の光源１４ａ、１４ｂ、．．．が接続されている。光源１４ａ、１４ｂ、．．．の数は、図示されているように２つであるが、他の任意の数、例えば１つまたは２つ以上とすることも可能である。ここに示されている実施例では、光源はガス放電ランプ、例えばフィリップス社のＳＯＮランプのような高圧ナトリウムランプを含む。これらランプは、照明に良好に適すものであり、高電力レベルおよび低電力レベルのいずれでも作動できる。換言すれば、これらランプはフラッシュ動作に良好に適す。
【００５３】
制御ユニット１２には近接検出器１６ａ、１６ｂ、．．．も接続されている。これら検出器は、望ましくない物体、例えば侵入する動物２０の存在および／または移動を検出できる。侵入が望ましくない動物の例として、ライオン、虎、キツネ、蛇などを挙げることができる。当然ながら、近接検出器１６ａ、１６ｂは、かかる動物が存在することを検出できるようになっていなければならない。ここに示した実施例は、各光源用の１つの近接検出器を示す。しかしながら、観察者に対し多数の近接検出器を設けることも可能である。例えば２つ以上のランプに対して１つの検出器を設けたり、またはランプごとに２つ以上の検出器を設けることも可能である。
【００５４】
各近接検出器１６ａ、１６ｂは、自己の視界１８ａ、１８ｂをそれぞれ有する。実際には追加される視界によって対応する領域の実質的にすべてをカバーしなければならず、すなわち実質的にすべての領域が適当なサンプル、例えばグリッドを少なくとも提供しなければならない。
【００５５】
図１では、第２近接検出器１６ｂの視界１８ｂ内に望ましくない動物２０が存在する。近接検出器１６ｂは制御ユニット１２に信号を与え、これによって制御ユニットは電源１０が光源１４ｂに間欠的な電力を供給し、光源１４ｂがフラッシュし始めるように作動する。本発明によれば、光源１４ｂに供給される電力は、望ましくない動物２０を追い払うのに効果的なスイッチング周波数、例えば５〜７０Ｈｚのスイッチング周波数で変化する。
【００５６】
効力を増すために、多数の光源１４ｂがフラッシュするよう、例えば実質的にすべての光源１４ａ、１４ｂ．．．が点滅するように、制御ユニット１２を設定することも可能である。これとは異なり、光源がフラッシュし始めるスイッチング周波数が光源ごとに異なるようにすることもできる。更にこれとは異なり、またはこれに追加して、制御ユニット１２により光源から発せられる光の他の性質、例えば光源１４ａ、１４ｂがＬＥＤアセンブリである場合には、例えばカラーを変えてもよい。
【００５７】
図２は、本発明に係わるセキュリティ照明システムの別の実施例を略図で示す。
【００５８】
システム全体は参照番号１００で示されており、システム全体１００は、電源１１２および制御ユニット１１４だけでなく、光学システム１１８を介して光ビーム１２０を発生する光源１１６も備えた車両１１０を含む。オペレータは、１２２で表示されており、侵入者は１３０で示されている。
【００５９】
システム１００は操作人１２０、例えば法執行官が使用するようになっているので、近接検出器を有しないように設けてもよい。
【００６０】
電源１１２は、制御ユニット１１４の制御下で光源１１６に給電できる自動車のバッテリーまたは別個のエネルギー源とすることができる。
【００６１】
光源１１６は、任意の適当な光源、例えばガス放電ランプ、高電力ＬＥＤアセンブリまたはレーザーとすることができる。
【００６２】
光学システム１１８は、種々の目的を達成できる。光源１１６がガス放電ランプまたはＬＥＤアセンブリである場合、光学系１１８を集光レンズとし、放出された光をこのレンズによってビーム１２０に合焦してもよい。かかるビームは、より長い距離でも、より効果的となり得る。これとは異なり、またはこれに追加して、光源１１６がレーザーを含む場合、光学系１１８はビーム拡張器を含み、身体的な障害、例えば網膜に障害を与えることなく、不快感を与えたり、混乱させたりし、一般に侵入者１３０に影響を与えるようなレベルまで、ビーム１２０の最大強度／パワーを下げることができる。
【００６３】
従って、オペレータ１２２は、適当なプロトコルに従い、ビーム１２０の照明強度を変えるよう、すなわち約１５〜２０Ｈｚの間のスイッチング周波数で強度が変わる光ビームを発生するように、制御ユニット１１４を介して光源１１６を附勢できる。かかる周波数は、人を極めて混乱させることが分かっている。可能な用途として、人、例えば侵入者１３０を制圧またはこれを追い払うことを挙げることができる。
【００６４】
以上で、種々の実施例について図示し、説明したが、これらは単なる例に過ぎず、本発明を限定するものと見なしてはならない。本発明の範囲は特許請求の範囲のみによって定められるものである。
【図面の簡単な説明】
【００６５】
【図１】本発明に係わるセキュリティ照明システムを略図で示す。
【図２】本発明に係わるセキュリティ照明システムの別の実施例を略図で示す。
【符号の説明】
【００６６】
１０    電源
１２    制御ユニット
１４ａ、１４ｂ    光源
１６ａ、１６ｂ    近接検出器
１８ａ、１８ｂ    視界
２０    侵入者
【図１】
2008542903.tif 000003
【図２】
2008542903.tif 000004
【国際調査報告】
2008542903.tif 000005
2008542903.tif 000006